(57)【要約】【課題】荷物が載置されても上方に凸となるように撓みにくいパレットを提供する。【解決手段】パレット１は、平面視矩形状に形成された上面デッキ部２と、平面視矩形状に形成された下面デッキ部３と、隅桁４１と、中間桁４２と、中央桁４３と、を備える。隅桁４１は、上面デッキ部２の各隅部と下面デッキ部３の各隅部とをそれぞれ連結する。中間桁４２は、上面デッキ部２の各辺の中間部と下面デッキ部３の各辺の中間部とをそれぞれ連結する。パレット１には、上面デッキ部２と下面デッキ部３との間で、かつ、隅桁４１と中間桁４２との間にフォーク挿入口１０が形成される。パレット１は、上面デッキ部２のフォーク挿入口１０に対応する部分において、中間桁４２側の部分に、隅桁４１側の厚肉部５となる部分の厚みよりも厚みの薄い薄肉部６を有する。【選択図】図５
2020203718.tif 000002
【特許請求の範囲】
【請求項１】
平面視矩形状に形成された上面デッキ部と、
平面視矩形状に形成された下面デッキ部と、
前記上面デッキ部の各隅部と前記下面デッキ部の各隅部とをそれぞれ連結する隅桁と、
前記上面デッキ部の各辺の中間部と前記下面デッキ部の各辺の中間部とをそれぞれ連結する中間桁と、
前記上面デッキ部の中央部と前記下面デッキ部の中央部とをそれぞれ連結する中央桁と、を備え、
前記上面デッキ部と前記下面デッキ部との間で、かつ、前記隅桁と前記中間桁との間にフォーク挿入口が形成されるパレットであって、
前記上面デッキ部の前記フォーク挿入口に対応する部分において、前記中間桁側の部分に、前記隅桁側の厚肉部となる部分の厚みよりも厚みの薄い薄肉部を有する
パレット。
【請求項２】
平面視矩形状に形成された上面デッキ部と、
前記上面デッキ部の各隅部より下方に突出する隅桁と、
前記上面デッキ部の各辺の中間部より下方に突出する中間桁と、
前記上面デッキ部の中央部より下方に突出する中央桁と、を備え、
前記隅桁と前記中間桁との間にフォーク挿入口が形成されるパレットであって、
前記上面デッキ部の前記フォーク挿入口に対応する部分において、前記中間桁側の部分に、前記隅桁側の厚肉部となる部分の厚みよりも厚みの薄い薄肉部を有する
パレット。
【請求項３】
前記上面デッキ部の前記フォーク挿入口に対応する部分において、前記薄肉部と、前記厚肉部との間に段差部を有する
請求項１又は２記載のパレット。
【請求項４】
前記上面デッキ部の前記フォーク挿入口に対応する部分の中間部に、下方に向けて突出して前記厚肉部となる突起部を有する
請求項３記載のパレット。
【請求項５】
平面視矩形状に形成された上面デッキ部と、
平面視矩形状に形成された下面デッキ部と、
前記上面デッキ部の各隅部と前記下面デッキ部の各隅部とをそれぞれ連結する隅桁と、
前記上面デッキ部の各辺の中間部と前記下面デッキ部の各辺の中間部とをそれぞれ連結する中間桁と、
前記上面デッキ部の中央部と前記下面デッキ部の中央部とをそれぞれ連結する中央桁と、を備え、
前記上面デッキ部と前記下面デッキ部との間で、かつ、前記隅桁と前記中間桁との間にフォーク挿入口が形成されるパレットであって、
前記上面デッキ部の前記フォーク挿入口に対応する部分において、前記中間桁側の部分に、前記隅桁側の部分の曲げ剛性よりも曲げ剛性が低い低剛性部を有する
パレット。
【発明の詳細な説明】
【技術分野】
【０００１】
本発明は、パレットに関し、さらに詳しくは、上面デッキ部、下面デッキ部、隅桁、中間桁及び中央桁を備え、上面デッキ部と下面デッキ部との間で、かつ、隅桁と中間桁との間にフォーク挿入口が形成されるパレットに関する。
【背景技術】
【０００２】
従来、表面部と裏面部との間に複数個の桁を配設して表面部と裏面部とを連結すると共に、隣接する桁の間にフォーク挿入口を形成した合成樹脂パレットが知られている（例えば特許文献１参照）。
【０００３】
フォーク挿入口は、図１３Ａに示すように、側面視矩形状をしており、フォーク挿入口の上側に位置する表面部は、所定の一様な厚みを有している。
【０００４】
表面部上に荷物９１が積載されたパレットは、フォークリフトのフォークがフォーク挿入口に挿入されてリフトアップされた状態で、搬送される。
【先行技術文献】
【特許文献】
【０００５】
【特許文献１】特許第４５６４１５７号公報
【発明の概要】
【発明が解決しようとする課題】
【０００６】
しかしながら、フォーク挿入口にフォークが挿入されてリフトアップされたパレットは、図１３Ｂに示すように、側面視において、パレットが撓み、パレットに載置されている荷物が荷割れして、荷崩れが発生するおそれがあった。
【０００７】
また、パレットに載置されている荷物が荷割れしてパレットの外寸よりはみ出た場合、トラックや倉庫といった決められたスペースに荷物及びパレットを詰め込む際に、荷割れした荷物が先にスペースの横の荷物と当たってしまい、スペースに入れることができなくなるおそれがある。この場合、フォークで運んできたパレットを床に置き、パレットが撓まないように床に置いた状態のままパレットを引きずるかあるいは押してスペースに入れることになり、手間と時間がかかる、という問題があった。
【０００８】
本発明は上記従来の問題点に鑑みて発明したものであって、その目的とするところは、荷物が載置されても上方に凸となるように撓みにくいパレットを提供することにある。
【課題を解決するための手段】
【０００９】
上記課題を解決するために、本発明に係る一形態のパレットは、平面視矩形状に形成された上面デッキ部と、平面視矩形状に形成された下面デッキ部と、隅桁と、中間桁と、中央桁と、を備える。前記隅桁は、前記上面デッキ部の各隅部と前記下面デッキ部の各隅部とをそれぞれ連結する。前記中間桁は、前記上面デッキ部の各辺の中間部と前記下面デッキ部の各辺の中間部とをそれぞれ連結する。前記中央桁は、前記上面デッキ部の中央部と前記下面デッキ部の中央部とをそれぞれ連結する。前記パレットには、前記上面デッキ部と前記下面デッキ部との間で、かつ、前記隅桁と前記中間桁との間にフォーク挿入口が形成される。前記パレットは、前記上面デッキ部の前記フォーク挿入口に対応する部分において、前記中間桁側の部分に、前記隅桁側の厚肉部となる部分の厚みよりも厚みの薄い薄肉部を有する。
【００１０】
本発明に係る他形態のパレットは、平面視矩形状に形成された上面デッキ部と、隅桁と、中間桁と、中央桁と、を備える。前記隅桁は、前記上面デッキ部の各隅部より下方に突出する。前記中間桁は、前記上面デッキ部の各辺の中間部より下方に突出する。前記中央桁は、前記上面デッキ部の中央部より下方に突出する。前記パレットには、前記隅桁と前記中間桁との間にフォーク挿入口が形成される。前記パレットは、前記上面デッキ部の前記フォーク挿入口に対応する部分において、前記中間桁側の部分に、前記隅桁側の厚肉部となる部分の厚みよりも厚みの薄い薄肉部を有する。
【００１１】
上記課題を解決するために、本発明に係る更に他形態のパレットは、平面視矩形状に形成された上面デッキ部と、平面視矩形状に形成された下面デッキ部と、隅桁と、中間桁と、中央桁と、を備える。前記隅桁は、前記上面デッキ部の各隅部と前記下面デッキ部の各隅部とをそれぞれ連結する。前記中間桁は、前記上面デッキ部の各辺の中間部と前記下面デッキ部の各辺の中間部とをそれぞれ連結する。前記中央桁は、前記上面デッキ部の中央部と前記下面デッキ部の中央部とをそれぞれ連結する。前記パレットには、前記上面デッキ部と前記下面デッキ部との間で、かつ、前記隅桁と前記中間桁との間にフォーク挿入口が形成される。前記パレットは、前記上面デッキ部の前記フォーク挿入口に対応する部分において、前記中間桁側の部分に、前記隅桁側の部分の曲げ剛性よりも曲げ剛性が低い低剛性部を有する。
【発明の効果】
【００１２】
本発明に係るパレットにあっては、中間桁側の部分に積載された荷物により、中間桁側の部分が低くなるような曲げモーメントが薄肉部又は低剛性部にかかると、薄肉部又は低剛性部で曲がって中間桁側の部分が低くなって下方に凹む。パレットの中間桁側の部分の付近が下方に凹むと、荷物には、荷物が中央側に傾くような力がはたらくため、荷割れが起きにくくなる。
【図面の簡単な説明】
【００１３】
【図１】図１は、第一実施形態に係るパレットの斜視図である。
【図２】図２は、同上のパレットの平面図である。
【図３】図３は、同上のパレットの下面図である。
【図４】図４は、同上のパレットを上下の中央で切断した断面を上方より見たときの断面図である。
【図５】図５Ａは、同上のパレットの側面図である。図５Ｂは、同上のパレットの他例の一部拡大側面図である。
【図６】図６は、同上のパレットを上下の中央で切断した断面を下方より見たときの断面図である。
【図７】図７は、第二実施形態に係るパレットの側面図である。
【図８】図８は、第三実施形態に係るパレットの側面図である。
【図９】図９は、第四実施形態に係るパレットの側面図である。
【図１０】図１０は、第五実施形態に係るパレットの側面図である。
【図１１】図１１は、第六実施形態に係るパレットの側面図である。
【図１２】図１２は、第八実施形態に係るパレットの側面図である。
【図１３】図１３Ａは、従来例に係るパレットの撓んでいない状態の側面図である。図１３Ｂは、同上のパレットの撓んだ状態の側面図である。
【発明を実施するための形態】
【００１４】
本発明は、パレットに関する。以下、本発明に係るパレットを添付図面に示す実施形態に基づいて説明する。
【００１５】
第一実施形態に係るパレットについて、図１〜図５Ｂに基いて説明する。第一実施形態に係るパレットの強さは、ＪＩＳＺ０６０２の試験でＢ種である。
【００１６】
図１に示すように、パレット１は、上面デッキ部２と、下面デッキ部３と、桁部４と、を備える。パレット１は、合成樹脂の射出成形により一体に成形される。すなわち、上面デッキ部２と桁部４とは一体に連結され、下面デッキ部３と桁部４とは一体に連結されている。第一実施形態におけるパレット１は、片面使用のパレット１であり、上面デッキ部２が上側に位置し、かつ、下面デッキ部３が下側に位置する状態で使用するように設計されている。すなわち、上面デッキ部２と下面デッキ部３とは、平面視における外郭形状は略同一であるものの、全体的な形状及び高さ等は同一となるように形成されていない。以下の説明において、上面デッキ部２が位置する方を上方とし、下面デッキ部３が位置する方を下方とする。
【００１７】
上面デッキ部２は、図２に示すように平面視矩形状に形成されており、下面デッキ部３は、図３に示すように下面視（平面視）矩形状に形成されている。図１〜図３に示すように、上面デッキ部２と下面デッキ部３とは、ともに平面視における外郭形状が正方形状で同形かつ同大に形成されており、平面視において外郭が重なるように上下方向に間隔をあけて配置される。
【００１８】
図２に示すように、上面デッキ部２は、桁上部２１と、上桟部２２と、上桟間部２３と、を有する。桁上部２１は、桁部４の上側に位置する。上面デッキ部２は、桁上部２１として、隅桁上部２１１と、中間桁上部２１２と、中央桁上部２１３と、を有する。
【００１９】
隅桁上部２１１は、平面視において、上面デッキ部２の四個の隅部にそれぞれ位置する。隅桁上部２１１は、平面視において矩形状（正方形状）をした上面デッキ部２の一辺に沿ったリブ２４がこれに直交するリブ２５と連結されることにより、形成されている。隅桁上部２１１は、上下に貫通する貫通口を有するメッシュ状に形成される。隅桁上部２１１は、後述する隅桁４１の上側に位置し、隅桁４１と一体に形成されている。
【００２０】
中間桁上部２１２は、上面デッキ部２の四個の辺の中間部にそれぞれ位置する。中間桁上部２１２は、隅桁上部２１１と同様のリブと貫通口を有するメッシュ状に形成される。中間桁上部２１２は、後述する中間桁４２の上側に位置し、中間桁４２と一体に形成されている。
【００２１】
中央桁上部２１３は、上面デッキ部２の中央部に位置する。中央桁上部２１３は、隅桁上部２１１と同様のリブと貫通口を有するメッシュ状に形成される。中央桁上部２１３は、後述する中央桁４３の上側に位置し、中央桁４３と一体に形成されている。
【００２２】
上桟部２２は、二個の桁上部２１間に位置して、二個の桁上部２１を連結する。上面デッキ部２は、上桟部２２として、端上桟部２２１と、内上桟部２２２と、を有する。
【００２３】
端上桟部２２１は、隅桁上部２１１と中間桁上部２１２との間に位置して、隅桁上部２１１と中間桁上部２１２とを連結する。端上桟部２２１は、上面デッキ部２の四個の辺にそれぞれ二個ずつ、計八個設けられる。端上桟部２２１は、隅桁上部２１１と同様のリブと貫通口を有するメッシュ状に形成される。
【００２４】
内上桟部２２２は、中間桁上部２１２と中央桁上部２１３との間に位置して、中間桁上部２１２と中央桁上部２１３とを連結する。内上桟部２２２は、中央桁上部２１３から９０度ピッチで放射状に計四個設けられる。内上桟部２２２は、隅桁上部２１１と同様のリブと貫通口を有するメッシュ状に形成される。
【００２５】
上桟間部２３は、四辺が上桟部２２に囲まれる部分に位置して、上桟部２２にそれぞれ連結される。上桟間部２３は、計四個設けられる。上桟間部２３は、隅桁上部２１１と同様のリブと貫通口を有するメッシュ状に形成される。
【００２６】
上面デッキ部２の桁上部２１、上桟部２２及び上桟間部２３の上面は、同一平面上に位置している。
【００２７】
図３に示すように、下面デッキ部３は、桁下部３１と、下桟部３２と、を有する。桁下部３１は、桁部４の下側に位置する。下面デッキ部３は、桁下部３１として、隅桁下部３１１と、中間桁下部３１２と、中央桁下部３１３と、を有する。
【００２８】
隅桁下部３１１は、平面視において、下面デッキ部３の四個の隅部にそれぞれ位置する。隅桁下部３１１は、平面視において下面デッキ部３の一辺に沿ったリブ３４がこれに直交するリブ３５と連結されることにより形成されている。隅桁下部３１１は、上下に貫通する貫通口を有するメッシュ状に形成される。隅桁下部３１１は、隅桁４１の下側に位置し、隅桁４１と一体に形成されている。
【００２９】
中間桁下部３１２は、下面デッキ部３の四個の辺の中間部にそれぞれ位置する。中間桁下部３１２は、隅桁下部３１１と同様のリブと貫通口を有するメッシュ状に形成される。中間桁下部３１２は、中間桁４２の下側に位置し、中間桁４２と一体に形成されている。
【００３０】
中央桁下部３１３は、下面デッキ部３の中央部に位置する。中央桁下部３１３は、隅桁下部３１１と同様のリブと貫通口を有するメッシュ状に形成される。中央桁下部３１３は、中央桁４３の下側に位置し、中央桁４３と一体に形成されている。
【００３１】
下桟部３２は、二個の桁下部３１間に位置して、二個の桁下部３１を連結する。下面デッキ部３は、下桟部３２として、端下桟部３２１と、内下桟部３２２と、を有する。
【００３２】
端下桟部３２１は、隅桁下部３１１と中間桁下部３１２との間に位置して、隅桁下部３１１と中間桁下部３１２とを連結する。端下桟部３２１は、下面デッキ部３の四個の辺にそれぞれ二個ずつ、計八個設けられる。端下桟部３２１は、隅桁下部３１１と同様のリブと貫通口を有するメッシュ状に形成される。
【００３３】
内下桟部３２２は、中間桁下部３１２と中央桁下部３１３との間に位置して、中間桁下部３１２と中央桁下部３１３とを連結する。内下桟部３２２は、中央桁下部３１３から９０度ピッチで放射状に計四個設けられる。内下桟部３２２は、隅桁下部３１１と同様のリブと貫通口を有するメッシュ状に形成される。
【００３４】
下面デッキ部３は、上面デッキ部２の上桟間部２３に相当する構成を有さない。下面デッキ部３の四辺が下桟部３２に囲まれる部分には、上下に貫通する桟間開口３３（図４参照）が形成される。桟間開口３３は、計四個設けられる。
【００３５】
下面デッキ部３の桁下部３１及び下桟部３２の下面は、同一平面上に位置している。
【００３６】
図１に示すように、桁部４は、上面デッキ部２と下面デッキ部３との間に位置して、上面デッキ部２と下面デッキ部３とを連結する。パレット１は、桁部４として、隅桁４１と、中間桁４２と、中央桁４３と、を有する。
【００３７】
隅桁４１は、上面デッキ部２の各隅部と下面デッキ部３の各隅部とをそれぞれ連結する。具体的には、上面デッキ部２の隅桁上部２１１と、隅桁上部２１１の下方に位置する下面デッキ部３の隅桁下部３１１とが、それぞれ隅桁４１により連結される。図４に示すように、隅桁４１は、計四個設けられる。隅桁４１は、上下方向に伸びる筒部４４を有する。筒部４４の水平断面における形状は、概ね正方形状である。また、隅桁４１の筒部４４内には、平面視において上面デッキ部２の一辺に沿ったリブ４５とこれに直交して連結されるリブとにより、形成されている。
【００３８】
中間桁４２は、上面デッキ部２の各辺の中間部と下面デッキ部３の各辺の中間部とをそれぞれ連結する。具体的には、上面デッキ部２の中間桁上部２１２と、中間桁上部２１２の下方にそれぞれ位置する下面デッキ部３の中間桁下部３１２とが、中間桁４２により連結される。中間桁４２は、計四個設けられる。中間桁４２は、隅桁４１と同様に、上下方向に伸びる筒部４４を有する。筒部４４の水平断面における形状は、概ね正方形状である。また、中間桁４２の筒部４４内には、平面視において上面デッキ部２の一辺に沿ったリブとこれに直交して連結されるリブとにより、形成されている。
【００３９】
中央桁４３は、上面デッキ部２の中央部と下面デッキ部３の中央部とをそれぞれ連結する。具体的には、上面デッキ部２の中央桁上部２１３と、下面デッキ部３の中央桁下部３１３とが、中央桁４３により連結される。中央桁４３は、隅桁４１及び中間桁４２と同様に、上下方向に伸びる筒部４４を有する。筒部４４の水平断面における形状は、概ね正方形状である。また、中央桁４３の筒部４４内には、平面視において上面デッキ部２の一辺に沿ったリブとこれに直交して連結されるリブとにより、形成されている。
【００４０】
下面デッキ部３の桁下部３１及び下桟部３２の下面が水平面に載置されたとき、上面デッキ部２の桁上部２１、上桟部２２及び上桟間部２３の上面は、水平な同一平面上に位置する。すなわち、パレット１の厚み（すなわち上面と下面との間の上下長さ）は一定に形成されている。
【００４１】
図１に示すように、パレット１は、フォーク挿入口１０を有する。フォーク挿入口１０は、上面デッキ部２と下面デッキ部３との間で、かつ、隅桁４１と中間桁４２との間に形成される。具体的には、フォーク挿入口１０は、図５Ａに示すように、上側に端上桟部２２１、下側に端下桟部３２１、側方に隅桁４１と中間桁４２とが位置してこれらに囲まれる部分である。フォーク挿入口１０は、端上桟部２２１と端下桟部３２１の各対にそれぞれ対応しており、パレット１の四個の辺にそれぞれ二個ずつ、計八個設けられる。
【００４２】
フォーク挿入口１０は、側方に向けて開口しており、ハンドフォークリフトのフォーク９（図５Ａの破線参照）が挿入される。フォーク９は、パレット１の一辺に形成されたフォーク挿入口１０より挿入され、フォーク９の先端は、パレット１の一辺に対向する辺に形成されたフォーク挿入口１０より少し出るが、必ずしもフォーク９の先端がフォーク挿入口１０より出なくてもよい。フォーク９が挿入され得る一連の空間が、フォーク挿入空間１１となる。すなわち、フォーク挿入空間１１は、端上桟部２２１と端下桟部３２１との間（フォーク挿入口１０）、上桟間部２３と桟間開口３３との間、内上桟部２２２と内下桟部３２２との間、上桟間部２３と桟間開口３３との間、端上桟部２２１と端下桟部３２１との間（フォーク挿入口１０）に順に到る一連の空間により構成される。フォーク挿入空間１１は、パレット１の一辺とこれに対向する辺とにかけて二本並設され、パレット１の一辺に隣接する辺とこれに対向する辺とにかけて二本並設され、計四本が平面視において井の字状をなすように設けられる。パレット１は、いわゆる四方差しのパレットとなる。
【００４３】
パレット１にあっては、フォーク挿入口１０よりフォーク９が挿入されて、上面デッキ部２がフォーク９により支持される。従来のパレット１にあっては、上面デッキ部２がフォーク９により支持されると、図１３Ｂに示すように、上面デッキ部２が上方に凸となるように撓んで、荷物９１がパレット１から落下するおそれがあった。
【００４４】
そこで、上面デッキ部２（パレット１）が上方に凸となるように撓みにくくするため、第一実施形態のパレット１は、図５Ａに示すように、薄肉部６を有している。薄肉部６は、上面デッキ部２のフォーク挿入口１０に対応する部分（すなわち端上桟部２２１）において、中間桁４２側の部分に形成される。端上桟部２２１において、薄肉部６よりも隅桁４１側の部分は、厚肉部５となる。厚肉部５と薄肉部６との境目は、フォーク挿入口１０の中央位置より隅桁４１側に位置することが好ましい。
【００４５】
薄肉部６の厚みは、厚肉部５の厚みよりも薄い。厚肉部５と薄肉部６との厚みの差は、３ｍｍ以上であることが好ましく、５ｍｍ以上であることが更に好ましい。
【００４６】
また、厚肉部５の外面には、補強のためのリブ５１が形成され、薄肉部６の外面には、補強のためのリブ６１が形成されている。リブ５１、６１は、それぞれ上下方向に伸びるもので、間隔をあけて複数形成されている。
【００４７】
また、フォーク９がフォーク挿入口１０よりフォーク挿入空間１１に挿入される際、フォーク９の先端は、薄肉部６よりも厚肉部５に当たりやすいため、破損しにくい。更に、リブ５１の幅（水平方向の長さ）は、リブ６１の幅よりも長く形成されることが好ましい。これにより、より一層、厚肉部５が破損しにくくなる。
【００４８】
また、パレット１の平面視における外周側のリブは、内側のリブよりも厚く形成されることが好ましい。
【００４９】
第一実施形態では、パレット１が水平面に載置された状態で、厚肉部５の下面は水平面となる。厚肉部５の厚み及び薄肉部６の厚みは、それぞれ一定である。また、薄肉部６の下面は、厚肉部５の下面よりも上側に位置する。また、厚肉部５と薄肉部６との間には、厚みが急激に変化する段差部１２が形成される。なお、他例として、図５Ｂに示すように、段差部１２の外面に、補強のため、上下方向に伸びるリブ１２１が形成されてもよい。段差部１２には応力集中が発生しやすく破損しやすいが、リブ１２１が形成されることにより、段差部１２が破損しにくくなる。
【００５０】
図５Ａに示すように、薄肉部６は、フォーク挿入空間１１の長手方向の全長にわたって形成されることが好ましい。すなわち、薄肉部６は、フォーク挿入空間１１に対応する、端上桟部２２１、上桟間部２３、内上桟部２２２、上桟間部２３及び端上桟部２２１に形成されることが好ましい。厚肉部５も同様に、フォーク挿入空間１１の長手方向の全長にわたって形成されることが好ましい。なお、この場合、上桟間部２３に対応する部分は、フォーク挿入空間１１が交差する部分である。このため、フォーク挿入空間１１に対応する厚肉部５の長手方向の一部に、このフォーク挿入空間１１に交差するフォーク挿入空間１１の薄肉部６が横切るように形成される。このため、第一実施形態では、図６に示すように、厚肉部５は、上面デッキ部２の四個の隅部においてそれぞれ、隅桁上部２１１の部分を除く平面視Ｌ字状に形成されている。更に、中間桁上部２１２と中央桁上部２１３の間の桟（すなわち内上桟部２２２）には、厚肉部１６が設けられている。なお、内上桟部２２２に設けられる厚肉部１６は、任意の構成であり、設けられなくてもよい。内上桟部２２２に厚肉部１６が設けられていない場合、中央部が下方に凹みやすくなる。
【００５１】
フォーク９が、フォーク挿入口１０よりフォーク挿入空間１１に挿入されて上面デッキ部２を支持すると、厚肉部５の下面がフォーク９の上面によって支持され、薄肉部６の下面はフォーク９の上面に支持されにくい（但し、薄肉部６の下面がフォーク９の上面に支持される場合もあり得る）。このため、上面デッキ部２の両方の厚肉部５の間の部分（撓みやすい部分とする）の上面に載置された荷物により、撓みやすい部分は、下方に凹むように撓もうとする曲げモーメントを受ける。撓みやすい部分は、前記曲げモーメントを受けると、下方に凹むように撓む。薄肉部６の曲げ剛性は、厚肉部５の曲げ剛性よりも低く、厚肉部５が高剛性部７を構成するとともに薄肉部６が低剛性部８を構成する。
【００５２】
撓みやすい部分が下方に凹むように撓むと、撓みやすい部分の端部側の部分も、全体的に下方に凹むように撓もうとする曲げモーメントを受ける。この結果、パレット１が上方に凸となって荷物がパレット１から落下するといったことが起こりにくくなる。
【００５３】
また、厚肉部５と薄肉部６との間に段差部１２が形成されるため、厚肉部５の下面がフォーク９の上面によって支持された時に段差部１２（特に厚肉部５の部分）が基点となって、薄肉部６がフォーク９の上面よりも上方に位置するため、薄肉部６の撓み代が確保される。
【００５４】
次に、第二実施形態に係るパレット１について、図７に基いて説明する。なお、第二実施形態のパレット１は、第一実施形態のパレット１と大部分において同じである。このため、第一実施形態と重複する説明については説明を省略する。
【００５５】
第一実施形態では、厚肉部５の厚み及び薄肉部６の厚みはそれぞれ一定であった。また、厚肉部５と薄肉部６との間には段差部１２が形成されていた。これに対して、第二実施形態では、厚肉部５の厚み及び薄肉部６の厚みはそれぞれ、隅桁４１側の端部から中間桁４２側の端部にかけて連続的に薄くなっている。
【００５６】
上面デッキ部２のフォーク挿入口１０に対応する部分（端上桟部２２１）は、全体で隅桁４１側の端部から中間桁４２側の端部にかけて一様に連続的に薄くなっている。厚肉部５と薄肉部６との間には段差部が形成されていない。このため、厚肉部５と薄肉部６との境界は明確ではないが、便宜上、フォーク挿入口１０の隅桁４１側の端部と中間桁４２側の端部の中央部を厚肉部５と薄肉部６との境界とする。なお、厚肉部５と薄肉部６との境界は、フォーク挿入口１０の隅桁４１側の端部と中間桁４２側の端部の中央部に限定されない。厚肉部５が高剛性部７を構成するとともに薄肉部６が低剛性部８を構成する。
【００５７】
第二実施形態では、厚肉部５と薄肉部６との間に厚みが急激に変化する段差部が形成されないため、応力集中が発生しにくい。これにより、パレット１の応力集中が発生した部分より破壊されるのを抑制することができる。
【００５８】
次に、第三実施形態に係るパレット１について、図８に基いて説明する。なお、第三実施形態のパレット１は、第一実施形態のパレット１と大部分において同じである。このため、第一実施形態と重複する説明については説明を省略する。
【００５９】
第一実施形態では、上面デッキ部２のフォーク挿入口１０に対応する部分（端上桟部２２１）の隅桁４１側の端部から中間桁４２側の端部にかけて、厚肉部５と薄肉部６とが順に位置して、端上桟部２２１に二個の段部が形成され、一個の段差部１２が形成されていた。これに対して、第三実施形態では、端上桟部２２１の隅桁４１側の端部から中間桁４２側の端部にかけて、端上桟部２２１の厚みが順に薄くなる三個の段部が形成され、段部の間に計二個の段差部が形成されている。
【００６０】
端上桟部２２１は、最も隅桁４１側に位置する段部が厚みの最も厚い厚肉部５となり、この段部の中間桁４２側に隣接する段部（端上桟部２２１の中央部に位置する段部）は、最も隅桁４１側に位置する段部よりも厚みの薄い薄肉部６となる。最も中間桁４２側に位置する段部は、端上桟部２２１の中央部に位置する段部よりも厚みの薄い薄肉部６となる。なお、この場合、端上桟部２２１の中央部に位置する段部は、最も中間桁４２側に位置する段部（薄肉部６）との関係で、厚肉部５となる。厚肉部５が高剛性部７を構成するとともに薄肉部６が低剛性部８を構成する。
【００６１】
第三実施形態では、端上桟部２２１に三個の段部が形成され、二個の段差部が形成されているため、フォーク９が段差部を跨いで位置しやすい。すなわち、ハンドフォークリフトによって、フォーク９の幅又は二個のフォーク９の間隔が異なるが、フォーク挿入口１０に挿入されたフォーク９が段差部を跨いで位置しやすくなる。フォーク９が段差部を跨いで位置すると、段差部の中間桁４２側に位置する薄肉部６の撓み代が確保される。
【００６２】
次に、第四実施形態に係るパレット１について、図９に基いて説明する。なお、第四実施形態のパレット１は、第三実施形態のパレット１と大部分において同じである。このため、第三実施形態と重複する説明については説明を省略する。
【００６３】
第三実施形態では、端上桟部２２１の隅桁４１側の端部から中間桁４２側の端部にかけて、端上桟部２２１の厚みが順に薄くなる三個の段部が形成され、段部の間に計二個の段差部が形成されていた。これに対して、第四実施形態では、端上桟部２２１の隅桁４１側の端部から中間桁４２側の端部にかけて、端上桟部２２１の厚みが薄くなり、次に厚みが厚くなる三個の段部が形成され、段部の間に計二個の段差部が形成されている。
【００６４】
端上桟部２２１は、最も隅桁４１側に位置する段部が厚みの最も厚い厚肉部５となり、この段部の中間桁４２側に隣接する段部（端上桟部２２１の中央部に位置する段部）は、最も隅桁４１側に位置する段部よりも厚みの薄い薄肉部６となる。最も中間桁４２側に位置する段部は、端上桟部２２１の中央部に位置する段部よりも厚みの厚い厚肉部１３となる。厚肉部１３の厚みと厚肉部５の厚みは同じであり、厚肉部１３の下面と厚肉部５の下面は同一平面上に位置する。
【００６５】
第四実施形態では、フォーク９が厚肉部５と薄肉部６とにわたって位置してこの間の段差部を跨ぐと、薄肉部６の撓み代が確保される。また、厚肉部１３の強度は薄肉部６の強度よりも大きいため、厚肉部１３の部分に薄肉部６が連続している場合と比較して、パレット１の強度が向上する。
【００６６】
次に、第五実施形態に係るパレット１について、図１０に基いて説明する。なお、第五実施形態のパレット１は、第四実施形態のパレット１と大部分において同じである。このため、第四実施形態と重複する説明については説明を省略する。
【００６７】
第四実施形態では、端上桟部２２１の隅桁４１側の端部から中間桁４２側の端部にかけて、厚肉部５、薄肉部６及び厚肉部１３が順に位置し、厚肉部１３の厚みと厚肉部５の厚みは同じであった。これに対し、第五実施形態では、端上桟部２２１の隅桁４１側の端部から中間桁４２側の端部にかけて、厚肉部５、薄肉部６及び厚肉部１４が順に位置し、厚肉部５の厚みは厚肉部１４の厚みよりも厚く形成されている。
【００６８】
第五実施形態では、フォーク９が厚肉部５と薄肉部６とにわたって位置してこの間の段差部を跨ぐと、薄肉部６の撓み代が確保される。また、厚肉部１４の強度は薄肉部６の強度よりも大きいため、厚肉部１４の部分に薄肉部６が連続している場合と比較して、パレット１の強度が向上する。
【００６９】
次に、第六実施形態に係るパレット１について、図１１に基いて説明する。なお、第六実施形態のパレット１は、第一実施形態のパレット１と大部分において同じである。このため、第一実施形態と重複する説明については説明を省略する。
【００７０】
第六実施形態のパレット１は、端上桟部２２１の厚みは基本的に一定であるが、隅桁４１側の端部から中間桁４２側の端部にかけての一部に下方に向けて突出する突起部１５が形成されており、結果的にこの突起部１５が厚肉部５となっている。突起部１５は、端上桟部２２１の一部として一体に形成されてもよいし、初めに端上桟部２２１とは別体として形成されて溶着により一体に形成されてもよい。
【００７１】
突起部１５は、フォーク挿入空間１１の長手方向の一部にのみ形成される。突起部１５は、フォーク挿入空間１１の長手方向に離散的に複数個形成されてもよい。また、突起部１５は、フォーク挿入空間１１の長手方向全長にわたって形成されても良い。
【００７２】
突起部１５（厚肉部５）の中間桁４２側の部分が薄肉部６となる。厚肉部５が高剛性部７を構成するとともに薄肉部６が低剛性部８を構成し、突起部１５の隅桁４１側の部分も低剛性部８となる。
【００７３】
第六実施形態では、隅桁４１側の端部から中間桁４２側の端部にかけての一部に形成され、かつ、フォーク挿入空間１１の長手方向の一部に形成される突起部１５により、厚肉部５が形成されるため、簡単な構成により厚肉部５が形成可能である。
【００７４】
次に、第七実施形態に係るパレット１について説明する。なお、第七実施形態のパレット１は、第一実施形態のパレット１と大部分において同じである。このため、第一実施形態と重複する説明については説明を省略する。
【００７５】
第一実施形態では、上面デッキ部２のフォーク挿入口１０に対応する部分（端上桟部２２１）は、厚肉部５及び薄肉部６を有していた。これに対し、第七実施形態では、端上桟部２２１の厚みは隅桁４１側の端部から中間桁４２側の端部にかけて厚みは一定であるが、隅桁４１側の部分に高剛性部７が形成され、中間桁４２側の部分に低剛性部８が形成されている。
【００７６】
高剛性部７及び低剛性部８は、例えば、高剛性部７の材質の弾性率（ヤング率）を低剛性部８の材質の弾性率よりも大きくしたり、一方を中空構造とするとともに他方を中実構造とする等、構造を異ならせたりすることにより、実現される。
【００７７】
第七実施形態では、端上桟部２２１の厚みを一定にしながら、高剛性部７及び低剛性部８を形成することが可能となる。
【００７８】
次に、第八実施形態に係るパレット１について、図１２に基いて説明する。なお、第八実施形態のパレット１は、第一実施形態〜第七実施形態のいずれかの実施形態のパレット１と大部分において同じである。このため、第一実施形態〜第七実施形態のパレット１と重複する説明については説明を省略する。
【００７９】
第八実施形態のパレット１は、第一実施形態〜第七実施形態のいずれかの実施形態のパレット１と比較して、下面デッキ部３を備えない点で異なる。第八実施形態のパレット１にあっては、隅桁４１は上面デッキ部２の各隅部より下方に突出する。また、中間桁４２は、上面デッキ部２の各辺の中間部より下方に突出する。また、中央桁４３は、上面デッキ部２の中央部より下方に突出する。フォーク挿入口１０は、隅桁４１と中間桁４２との間に形成される。上面デッキ部２、厚肉部５、薄肉部６、高剛性部７及び低剛性部８等については、それぞれ第一実施形態〜第七実施形態のパレット１のいずれかの実施形態のパレット１と同様である。
【００８０】
第八実施形態のパレット１は、第一実施形態〜第七実施形態のいずれかの実施形態のパレット１が奏する効果を得ることができる。
【００８１】
次に、上述した実施形態の変形例について説明する。
【００８２】
パレット１は、上面デッキ部２と下面デッキ部３と桁部４とが一体に成形されなくてもよく、別々に成形された後、溶着されてもよい。
【００８３】
パレット１の強さは、ＪＩＳＺ０６０２の試験におけるＢ種に限定されない。
【００８４】
パレット１は、両面使用のパレット１として形成されてもよい。この場合、上面デッキ部２と下面デッキ部３とが同一となるように形成されて、使用状態において上面デッキ部２と下面デッキ部３のいずれが上側に位置してもよい。
【００８５】
上面デッキ部２と下面デッキ部３とは、平面視長方形状に形成されてもよい。また、上面デッキ部２及び下面デッキ部３は、平面視において厳密な矩形に形成されなくてもよい。
【００８６】
第一実施形態〜第七実施形態の下面デッキ部３にあっては、端下桟部３２１は四個の辺にそれぞれ二個ずつ計八個設けられ、内下桟部３２２は中央桁下部３１３から９０度ピッチで放射状に計四個設けられていた。これに対し、井の字状をなす二本ずつ二対のフォーク挿入空間１１のうちの一対の二本のフォーク挿入空間１１に位置する計四個の端下桟部３２１及び計二個の内下桟部３２２をなくしてもよい。この場合も、パレット１はいわゆる四方差しのパレットとなる。
【００８７】
また、下面デッキ部３は、任意の構成であり、設けられる必要はない。
【００８８】
隅桁上部２１１、中間桁上部２１２、中央桁上部２１３、端上桟部２２１、内上桟部２２２及び上桟間部２３は、板状に形成されてもよく、構造は特に限定されない。
【００８９】
上面デッキ部２の桁上部２１、上桟部２２及び上桟間部２３の上面は、必ずしも同一平面上に位置しなくてもよい。
【００９０】
隅桁下部３１１、中間桁下部３１２、中央桁下部３１３、端下桟部３２１及び内下桟部３２２は、板状に形成されてもよく、構造は特に限定されない。
【００９１】
下面デッキ部３の桁下部３１及び下桟部３２の下面は、必ずしも同一平面上に位置しなくてもよい。
【００９２】
隅桁４１、中間桁４２、中央桁４３の筒部４４の形状及び構造は、特に限定されない。
【００９３】
厚肉部５の形状は、平面視Ｌ字状に限定されない。
【００９４】
厚肉部５の外面に形成されるリブ５１及び薄肉部６の外面に形成されるリブ６１は、任意の構成であり、設けられなくてもよい。
【００９５】
以上、述べた第一実施形態〜第七実施形態およびその変形例から明らかなように、第１の態様のパレット（１）は、平面視矩形状に形成された上面デッキ部（２）と、平面視矩形状に形成された下面デッキ部（３）と、隅桁（４１）と、中間桁（４２）と、中央桁（４３）と、を備える。隅桁（４１）は、上面デッキ部（２）の各隅部と下面デッキ部（３）の各隅部とをそれぞれ連結する。中間桁（４２）は、上面デッキ部（２）の各辺の中間部と下面デッキ部（３）の各辺の中間部とをそれぞれ連結する。中央桁（４３）は、上面デッキ部（２）の中央部と下面デッキ部（３）の中央部とをそれぞれ連結する。パレット（１）には、上面デッキ部（２）と下面デッキ部（３）との間で、かつ、隅桁（４１）と中間桁（４２）との間にフォーク挿入口（１０）が形成される。パレット（１）は、上面デッキ部（２）のフォーク挿入口（１０）に対応する部分において、中間桁（４２）側の部分に、隅桁（４１）側の厚肉部（５）となる部分の厚みよりも厚みの薄い薄肉部（６）を有する。
【００９６】
第１の態様によれば、中間桁（４２）側の部分に積載された荷物により、中間桁（４２）側の部分が低くなるような曲げモーメントが薄肉部（６）にかかると、薄肉部（６）で曲がって中間桁（４２）側の部分が低くなって下方に凹む。この結果、パレット（１）に載置されている荷物に、荷物が中央側に傾くような力がはたらくため、荷割れが起きにくくなる。
【００９７】
第２の態様のパレット（１）は、平面視矩形状に形成された上面デッキ部（２）と、隅桁（４１）と、中間桁（４２）と、中央桁（４３）と、を備える。隅桁（４１）は、上面デッキ部（２）の各隅部より下方に突出する。中間桁（４２）は、上面デッキ部（２）の各辺の中間部より下方に突出する。中央桁（４３）は、上面デッキ部（２）の中央部より下方に突出する。パレット（１）には、隅桁（４１）と中間桁（４２）との間にフォーク挿入口（１０）が形成される。パレット（１）は、上面デッキ部（２）のフォーク挿入口（１０）に対応する部分において、中間桁（４２）側の部分に、隅桁（４１）側の厚肉部（５）となる部分の厚みよりも厚みの薄い薄肉部（６）を有する。
【００９８】
第２の態様によれば、中間桁（４２）側の部分に積載された荷物により、中間桁（４２）側の部分が低くなるような曲げモーメントが薄肉部（６）にかかると、薄肉部（６）で曲がって中間桁（４２）側の部分が低くなって下方に凹む。この結果、パレット（１）に載置されている荷物に、荷物が中央側に傾くような力がはたらくため、荷割れが起きにくくなる。
【００９９】
第３の態様では、第１又は第２の態様との組み合わせにより実現され得る。第３の態様では、パレット（１）は、上面デッキ部（２）のフォーク挿入口（１０）に対応する部分において、薄肉部（６）と、厚肉部（５）との間に段差部（１２）を有する。
【０１００】
第３の態様によれば、段差部（１２）が形成されるため、薄肉部（６）の撓み代が確保される。
【０１０１】
第４の態様では、第３の態様との組み合わせにより実現され得る。第４の態様では、パレット（１）は、上面デッキ部（２）のフォーク挿入口（１０）に対応する部分の中間部に、下方に向けて突出して厚肉部（５）となる突起部（１５）を有する。
【０１０２】
第４の態様によれば、簡単な構成により厚肉部（５）を形成することができる。
【０１０３】
第５の態様のパレット（１）は、平面視矩形状に形成された上面デッキ部（２）と、平面視矩形状に形成された下面デッキ部（３）と、隅桁（４１）と、中間桁（４２）と、中央桁（４３）と、を備える。隅桁（４１）は、上面デッキ部（２）の各隅部と下面デッキ部（３）の各隅部とをそれぞれ連結する。中間桁（４２）は、上面デッキ部（２）の各辺の中間部と下面デッキ部（３）の各辺の中間部とをそれぞれ連結する。中央桁（４３）は、上面デッキ部（２）の中央部と下面デッキ部（３）の中央部とをそれぞれ連結する。パレット（１）には、上面デッキ部（２）と下面デッキ部（３）との間で、かつ、隅桁（４１）と中間桁（４２）との間にフォーク挿入口（１０）が形成される。パレット（１）は、上面デッキ部（２）のフォーク挿入口（１０）に対応する部分において、中間桁（４２）側の部分に、隅桁（４１）側の部分の曲げ剛性よりも曲げ剛性が低い低剛性部（８）を有する。
【０１０４】
第５の態様によれば、中間桁（４２）側の部分に積載された荷物により、中間桁（４２）側の部分が低くなるような曲げモーメントが低剛性部（８）にかかると、低剛性部（８）で曲がって中間桁（４２）側の部分が低くなって下方に凹む。この結果、パレット（１）が上方に凸となって荷物がパレット（１）から落下するといったことが起こりにくくなる。
【符号の説明】
【０１０５】
１    パレット
１０  フォーク挿入口
１２  段差部
１５  突起部
２    上面デッキ部
３    下面デッキ部
４１  隅桁
４２  中間桁
５    厚肉部
６    薄肉部
８    低剛性部
【図１】
2020203718.tif 000003
【図２】
2020203718.tif 000004
【図３】
2020203718.tif 000005
【図４】
2020203718.tif 000006
【図５】
2020203718.tif 000007
【図６】
2020203718.tif 000008
【図７】
2020203718.tif 000009
【図８】
2020203718.tif 000010
【図９】
2020203718.tif 000011
【図１０】
2020203718.tif 000012
【図１１】
2020203718.tif 000013
【図１２】
2020203718.tif 000014
【図１３】
2020203718.tif 000015